(57)【要約】【課題】非接触タグを容易に破壊できるようにする。【解決手段】磁気テープカートリッジ１は、磁気テープを収容するケーシング２を備えている。ケーシング２には、ＩＣチップ７２とＩＣチップ７２に接続されたアンテナ７３，７３とを有するＲＦＩＤタグ７１が一体的に設けられたＲＦＩＤラベル７を貼付するためのラベルエリア６が形成されている。ラベルエリア６には、ＩＣチップ７２が嵌り込むチップ用孔６２が形成されていると共に、アンテナ７３，７３が交差するアンテナ切断用溝６３，６３が形成されている。【選択図】図１
2011034631.tif 000002
【特許請求の範囲】
【請求項１】
記録メディアを収容するケーシングを備えたカートリッジであって、
前記ケーシングには、ＩＣチップと該ＩＣチップに接続されたアンテナとを有する非接触タグが一体的に設けられたシール部材を貼付するための貼付エリアが形成されており、
前記貼付エリアには、前記アンテナが交差する孔が形成されているカートリッジ。
【請求項２】
記録メディアを収容するケーシングを備えたカートリッジであって、
前記ケーシングには、ＩＣチップと該ＩＣチップに接続されたアンテナとを有する非接触タグが一体的に設けられたシール部材を貼付するための貼付エリアが形成されており、
前記貼付エリアには、前記ＩＣチップが嵌り込む孔が形成されているカートリッジ。
【発明の詳細な説明】
【技術分野】
【０００１】
本発明は、記録メディアを収容するケーシングを備えたカートリッジに関するものである。
【背景技術】
【０００２】
従来より、記録メディアを収容するケーシングを備えたカートリッジが知られている。
【０００３】
例えば、特許文献１には、記録メディアとしての磁気テープを収容するケーシングを備えたカートリッジが開示されている。そして、特許文献１では、各カートリッジに、非接触タグ（例えば、ＲＦＩＤ（Radio Frequency Identification）タグ）を設けて、各カートリッジを管理するようにしている。
【０００４】
また、非接触タグとしては、対象物に貼付できるようにしたシールタイプの非接触タグが知られている。例えば、特許文献２に開示されているＲＦＩＤラベルがある。
【先行技術文献】
【特許文献】
【０００５】
【特許文献１】特開２００７−５２５３９号公報
【特許文献２】特開２００７−２３２７６６号公報
【発明の概要】
【発明が解決しようとする課題】
【０００６】
ところで、記録メディアにおいては、廃棄するときに、その内部に記録された情報が流出しないような処置を施すことが必要である。それは、前述の非接触タグにおいても同じであり、廃棄時には、非接触タグに記録された情報の流出を防止する必要がある。具体的には、リーダ・ライタによって非接触タグ内の情報を削除することが行われる。また、非接触タグが、前述のシールタイプの場合であれば、シール状の非接触タグを剥がした上でその非接触タグを破壊することが考えられる。このように、非接触タグを設けたカートリッジにおいては、廃棄時に工数が増加してしまう。
【０００７】
ここに開示された技術は、かかる点に鑑みてなされたものであり、その目的とするところは、非接触タグを容易に破壊できるようにすることにある。
【課題を解決するための手段】
【０００８】
ここに開示されたカートリッジは、記録メディアを収容するケーシングを備えたカートリッジである。そして、前記ケーシングには、ＩＣチップと該ＩＣチップに接続されたアンテナとを有する非接触タグが一体的に設けられたシール部材を貼付するための貼付エリアが形成されており、前記貼付エリアには、前記アンテナが交差する孔が形成されているものとする。
【０００９】
また、別のカートリッジは、記録メディアを収容するケーシングを備えたカートリッジである。そして、前記ケーシングには、ＩＣチップと該ＩＣチップに接続されたアンテナとを有する非接触タグが一体的に設けられたシール部材を貼付するための貼付エリアが形成されており、前記貼付エリアには、前記ＩＣチップが嵌り込む孔が形成されているものとする。
【００１０】
ここで、「孔」とは、それ以外の部分よりも窪んでいればよく、丸孔に限られず、長孔であっても、溝状であっても、スリット状であってもよい。また、「孔」は、有底状であっても、貫通孔であってもよい。
【発明の効果】
【００１１】
前記カートリッジによれば、前記切り込みにシール部材の上から治具等を挿入することによって、非接触タグのアンテナを押し切ることができる。こうして、非接触タグを容易に破壊することができる。
【００１２】
また、別のカートリッジによれば、前記孔にシール部材の上から治具等を挿入することによって、非接触タグのＩＣチップをアンテナから切り離すことができる。こうして、非接触タグを容易に破壊することができる。
【図面の簡単な説明】
【００１３】
【図１】本発明の実施形態に係る磁気テープカートリッジの側面図である。
【図２】磁気テープカートリッジの平面図である。
【図３】磁気テープカートリッジの分解斜視図である。
【図４】ＲＦＩＤラベルの裏面を示す図である。
【図５】ＲＦＩＤラベルを貼付した磁気テープカートリッジの側面図である。
【発明を実施するための形態】
【００１４】
以下、本発明の例示的な実施形態を図面に基づいて詳細に説明する。
【００１５】
図１は、本発明の実施形態に係る磁気テープカートリッジの側面図であり、図２は、磁気テープカートリッジの平面図であり、図３は、磁気テープカートリッジの分解斜視図である。
【００１６】
実施形態に係る磁気テープカートリッジ１は、例えば、電子計算機に記録された記録データをバックアップするためのストレージデバイスとして使用されるＬＴＯ（Linear Tape Open）規格に準拠した１リール（単一リール）型のカートリッジ式情報記録媒体である。磁気テープカートリッジ１は、ケーシング２、テープリール３、磁気テープ（図示省略）、ロック解除具４、リール押え５、ばね６、カートリッジメモリ２５、及びライトプロテクトプラグ２６を備えている。この磁気テープカートリッジ１がカートリッジを構成する。
【００１７】
ケーシング２は、平面視正方形状の扁平な直方体に形成されている。すなわち、ケーシング２は、平面視正方形状の上面２ａ及び下面２ｂと、細長い長方形状の４つの側面２ｃ〜２ｆとを有している。ここで、磁気テープカートリッジ１を、テープドライブに挿入するときに、テープドライブ側を向いている側面を前側面２ｃ、前側面２ｃと対向する側面を後側面２ｄ、テープドライブの方を向いて右側の側面を右側面２ｅ、テープドライブの方を向いて左側の側面を左側面２ｆと称する。また、ケーシング２は、合成樹脂製の下ケース２１と上ケース２２との分割構造になっている。下ケース２１と上ケース２２との分割ラインは、側面２ｃ〜２ｆをそれぞれ通るようになっている。これらの下ケース２１及び上ケース２２は、それぞれ、平面視正方形状の浅皿状に形成されている。上ケース２２の天板内面には、その略中央において、断面十文字状のガイド突起（図示省略）が下方に突出するように形成されている。下ケース２１と上ケース２２とは、ネジで締結されている。ケーシング２の内部には、テープリール３が収容されている。下ケース２１の底板には、その略中央において、テープリール３の被駆動ギア（図示省略）を外部に露出させるためのギア開口２１ａが形成されている。
【００１８】
また、ケーシング２の右側面２ｅには、テープリール３に巻回された磁気テープを外部に引き出すためのテープ引出口２０ａが形成されている。このテープ引出口２０ａは、薄板状の蓋２３によって開閉可能に塞がれている。蓋２３は、ばね２３ａを介して、テープ引出口２０ａを閉じる方向へ付勢されている。
【００１９】
さらに、ケーシング２内における、後側面２ｄと右側面２ｅとで構成される隅部には、円弧状のリブによって区画されたメモリ収容部２０ｂが形成されている。このメモリ収容部２０ｂには、カートリッジメモリ２５が収容される。カートリッジメモリ２５は、磁気テープカートリッジ１の製造情報や使用履歴情報、磁気テープのパーテーション情報などを記憶するようになっている。
【００２０】
さらにまた、ケーシング２内における、後側面２ｄと左側面２ｆとで構成される隅部には、平板状のリブによって区画されたプラグ収容部２０ｃが形成されている。このプラグ収容部２０ｃには、ライトプロテクトプラグ２６が収容される。ライトプロテクトプラグ２６は、磁気テープカートリッジ１に記録されているデータの誤消去を防止するためのものである。ライトプロテクトプラグ２６は、データ消去許容位置とデータ消去禁止位置との間でスライド移動可能にプラグ収容部２０ｃに収容されている。
【００２１】
テープリール３は、円筒状のハブ３１と、該ハブ３１の上端に鍔状に設けられた上フランジ３２と、該ハブ３１の下端に鍔状に設けられた下フランジ３３と、該下フランジ３３に取り付けられた金属製の吸着板３４とを有している。これらハブ３１、上フランジ３２及び下フランジ３３は、合成樹脂で形成されている。さらに詳しくは、ハブ３１と下フランジ３３とは一体成形されている。そして、下フランジ３３と一体成形されたハブ３１の上端に、上フランジ３２が超音波溶着されている。
【００２２】
ハブ３１は、上端側（即ち、上フランジ側）が開口する一方、下端側（即ち、下フランジ側）が閉塞する有底円筒状に形成されている。このハブ３１の外周面に、磁気テープが巻回されている。
【００２３】
ハブ３１の底壁上面（内面）には、３つの円弧状のリブ３１ｂ（図３では、１つだけ図示）が、互いに間隔を空けて同一円周上に並んだ状態で突設されている。これらリブ３１ｂの上面には、被ロックギア３１ａが形成されている。ハブ３１の底壁には、隣接するリブ３１ｂの間の部分、即ち、リブ３１ｂが設けられていない部分の、径方向外側には、ロック解除具４の後述する爪部４３が嵌合する開口（図示省略）が貫通形成されている。
【００２４】
また、ハブ３１の底壁下面（外面）の中央には、吸着板３４が取り付けられている。さらに、ハブ３１の底壁下面の外周縁には、被駆動ギア（図示省略）が環状に形成されている。尚、前記開口は、底壁のうち被駆動ギアが形成されている部分に開口している。つまり、被駆動ギアの歯に混ざって、ロック解除具４の爪部４３が開口からハブ３１の底壁下面に突出することになる。
【００２５】
また、テープリール３においては、被駆動ギア及び吸着板３４が下ケース２１のギア開口２１ａからケーシング２の外部に露出している。磁気テープカートリッジ１をテープドライブに装填したときには、吸着板３４がテープドライブのモータの駆動軸に磁気吸着され、被駆動ギアに該駆動軸の駆動ギアが噛合するようになっている。
【００２６】
リール押え５は、上向きに開口する扁平な有底筒状をしており、その外径は、テープリール３のハブ３１の内径よりも小さく設定されている。このリール押え５は、該ハブ３１内に配設される。また、リール押え５の底壁上面（内面）の中央には、４個の断面Ｌ字状のリブ５１，５１，…が突設されていて、これら４つのリブ５１，５１，…により十文字状のスライド溝５２が形成されている。このスライド溝５２は、上ケース２２のガイド突起（図示省略）と同様の形状をしていて、該ガイド突起に対して上下方向にスライド移動可能でかつ相対回転不能に係合している。また、リール押え５の底壁下面（外面）には、ロックギア（図示省略）が形成されている。このロックギアは、テープリール３のハブ３１の被ロックギア３１ａに噛合するように形成されている。
【００２７】
ばね６は、コイルばねであって、その内径は、上ケース２２のガイド突起及びリール押え５のリブ５１，５１，…を外周から囲む程度の値に設定されている。すなわち、ばね６は、上ケース２２とリール押え５との間において、ガイド突起とリブ５１，５１，…とを外周から囲むように配置されている。このばね６は、下ケース２１と上ケース２２とが接合されることによって収縮変形して、リール押え５を下側（テープリール３側）に付勢するようになっている。
【００２８】
こうして下側に付勢されるリール押え５は、そのロックギアをテープリール３の被ロックギア３１ａに噛合させた状態で、該テープリール３を下側に押圧する。このとき、リール押え５は、リブ５１，５１，…が上ケース２２のガイド突起に係合して、上ケース２２に対して回転不能な状態となっているため、被ロックギア３１ａがリール押え５のロックギアに噛合しているテープリール３も回転不能な状態となっている。磁気テープカートリッジ１は、非駆動時には、この状態となっている。
【００２９】
ロック解除具４は、本体４１と該本体４１から放射状に延びた３つの腕部４２，４２，４２とを有している。各腕部４２の先端には、屈曲して下方に延びる爪部４３が形成されている。リール押え５のロックギアがハブ３１の被ロックギア３１ａに噛合している状態においては、該リール押え５とハブ３１の底壁との間には隙間が形成されており、ロック解除具４は、このハブ３１の底壁とリール押え５との隙間に配設されている。このとき、ロック解除具４の腕部４２，４２，４２は、ハブ３１の底壁上面のリブ３１ｂとリブとの間を延びて、爪部４３がハブ３１の底壁の開口に嵌っている。ロック解除具４は、磁気テープカートリッジ１の非駆動時には、この状態となっていて、リール押え５のロックギアとハブ３１の被ロックギア３１ａとの噛合状態に影響を与えることはない。一方、磁気テープカートリッジ１がテープドライブに装填されたとき、即ち、駆動時には、ロック解除具４は上方に押し上げられるようになっている。上方に押し上げられたロック解除具４は、さらに、リール押え５をばね６の付勢力に抗して押し上げるようになっている。リール押え５が押し上げられると、該リール押え５のロックギアとハブ３１の被ロックギア３１ａとの噛合が解除され、テープリール３の回転が許容されるようになっている。
【００３０】
このように構成された磁気テープカートリッジ１においては、ＲＦＩＤラベル７を貼付するためのラベルエリア６がケーシング２の外表面に形成されている。以下、ラベルエリア６の構成について、図４，５を参照しながら、詳しく説明する。図４は、ＲＦＩＤラベル７を裏側から見た背面図であり、図５は、ＲＦＩＤラベル７を貼付した状態の磁気テープカートリッジ１の側面図である。
【００３１】
ＲＦＩＤラベル７は、ラベル本体７０と、ラベル本体７０の裏面に一体的に設けられたＲＦＩＤタグ７１とを有している。ラベル本体７０は、ラベル基材とその裏面に設けられた粘着層とを含んでいる。ラベル本体７０は、略長方形状をしており、その隅部は湾曲している。ＲＦＩＤタグ７１は、ＩＣチップ７２と、ＩＣチップ７２に接続されたアンテナ７３，７３とを有している。ＲＦＩＤタグ７１は、例えば、マイクロ波方式のものである。ＲＦＩＤタグ７１には、例えば、磁気テープカートリッジ１の情報の種類や記録日時等の管理情報が記録されている。これらＲＦＩＤラベル７がシール部材を構成し、ＲＦＩＤタグ７１が非接触タグを構成する。ＲＦＩＤタグ７１は、ラベル基材と粘着層との間に挟持される。尚、ＲＦＩＤタグ７１は、これに限られず、粘着層に貼付されている等、他の構成でラベル基材の裏面に設けられていてもよい。
【００３２】
詳しくは、ＩＣチップ７２は、ラベル本体７０の裏面において、長手方向略中央であって且つ短手方向の一側寄りの部分に設けられている。アンテナ７３，７３は、ダイポールアンテナである。詳しくは、各アンテナ７３は、ＩＣチップ７２から長手方向外側へ延びる第１長手方向アンテナ部７３ａと、該第１長手方向アンテナ部７３ａの先端から短手方向中央に向かって延びる短手方向アンテナ部７３ｂと、短手方向略中央において該短手方向アンテナ部７３ｂの先端から長手方向外側へ延びる第２長手方向アンテナ部７３ｃとを有している。
【００３３】
ラベルエリア６は、ケーシング２の外表面のうち、後側面２ｄに形成されている。このラベルエリア６が貼付エリアを構成する。ラベルエリア６は、後側面２ｄよりも凹んだ状態で形成されている。また、ラベルエリア６は、そこに貼付されるＲＦＩＤラベル７の外形に沿った形状をしている。具体的には、ラベルエリア６は、ＲＦＩＤラベル７と同様に略長方形状をしている。また、ラベルエリア６の隅部は、湾曲している。詳しくは、ラベルエリア６の外周縁６０は、相対向する一対の上長辺部６０ａ及び下長辺部６０ｂと、相対向する一対の右短辺部６０ｃ及び左短辺部６０ｄとを有している。上長辺部６０ａと下長辺部６０ｂとの間隔は、ＲＦＩＤラベル７の短手方向の幅よりも少し大きくなっている。また、右短辺部６０ｃと左短辺部６０ｄとの間隔は、ＲＦＩＤラベル７の長手方向の幅よりも少し大きくなっている。つまり、ＲＦＩＤラベル７の外周縁とラベルエリア６の外周縁６０との間には僅かな隙間が形成されるようになっている。さらに、ラベルエリア６の深さは、貼付されるＲＦＩＤラベル７の厚みよりも深くなっている。つまり、ラベルエリア６に貼付されたＲＦＩＤラベル７は、後側面２ｄよりも突出しないようになっている。
【００３４】
このように構成されたラベルエリア６にＲＦＩＤラベル７を貼付するときには、ＲＦＩＤラベル７の外周縁をラベルエリア６の外周縁６０に合わせることによって、ＲＦＩＤラベル７をラベルエリア６内に貼付することができる。詳しくは、ＲＦＩＤラベル７を貼付するときには、ＲＦＩＤラベル７の両長辺をラベルエリア６の上長辺部６０ａ及び下長辺部６０ｂに沿わせると共に、ＲＦＩＤラベル７の両短辺をラベルエリア６の右短辺部６０ｃ及び左短辺部６０ｄに沿わせるようにする。ラベルエリア６の外周縁６０とＲＦＩＤラベル７の外周縁との隙間は小さいので、ＲＦＩＤラベル７の各辺とラベルエリア６の各辺部６０ａ〜６０ｄとが接触していない状態でも、両者が略平行になるように、ＲＦＩＤラベル７を配置することができる。つまり、ラベルエリア６の外周縁６０とＲＦＩＤラベル７の外周縁との隙間は、ＲＦＩＤラベル７の位置決めをできる程度の間隔になっている。こうして、ラベルエリア６の上長辺部６０ａはＲＦＩＤラベル７の上方への位置決めを行い、下長辺部６０ｂはＲＦＩＤラベル７の下方への位置決めを行い、右短辺部６０ｃはＲＦＩＤラベル７の右方への位置決めを行い、左短辺部６０ｄはＲＦＩＤラベル７の左方への位置決めを行う。
【００３５】
さらに、ラベルエリア６には、ＲＦＩＤタグ７１のＩＣチップ７２が嵌り込むチップ用孔６２と、ＲＦＩＤタグ７１のアンテナ７３，７３と交差するように設けられたアンテナ切断用溝６３，６３とが形成されている。これらチップ用孔６２がＩＣチップが嵌り込む孔を構成し、アンテナ切断用溝６３がアンテナが交差する孔を構成する。
【００３６】
詳しくは、チップ用孔６２は、断面略正方形の有底状の孔である。このチップ用孔６２は、チップ用孔６２は、ラベルエリア６の長手方向略中央において、短手方向の一側寄りの部分に形成されている。チップ用孔６２は、ＩＣチップ７２の位置がばらついてもＩＣチップ７２が嵌り込む程度に、ＩＣチップ７２よりも大きな形状をしている。すなわち、ＲＦＩＤラベル７は、その外周縁がラベルエリア６の外周縁６０に当接する範囲でラベルエリア６に貼付されるため、ラベルエリア６内におけるＩＣチップ７２の位置もその範囲内でばらつく。また、ＲＦＩＤラベル７の製造誤差によってＩＣチップ７２のラベル本体７０内の位置もばらつくため、ラベルエリア６内におけるＩＣチップ７２の位置もその範囲内でばらつく。それに対し、チップ用孔６２は前述の如く、ＩＣチップ７２よりも大きな形状をしているため、ＩＣチップ７２の位置がこのようにばらついても、ＩＣチップ７２はチップ用孔６２に嵌り込むようになっている。また、チップ用孔６２の深さは、ラベル本体７０の裏面からのＩＣチップ７２の突出量よりも深くなっている。
【００３７】
また、アンテナ切断用溝６３，６３はそれぞれ、ＲＦＩＤラベル７がラベルエリア６に貼付されたときに、ＲＦＩＤラベル７のアンテナ７３，７３の第２長手方向アンテナ部７３ｃ，７３ｃと交差するように形成されている。すなわち、ラベルエリア６内におけるアンテナ７３，７３の位置も、ＩＣチップ７２の位置と同様に、ＲＦＩＤラベル７の貼付誤差やアンテナ７３，７３の製造誤差等によってばらつく。それに対して、各アンテナ切断用溝６３は、アンテナ７３の位置がばらついても第２長手方向アンテナ部７３ｃと交差する位置において、ラベルエリア６の短手方向に延びるように形成されている。
【００３８】
このようにラベルエリア６に形成されたチップ用孔６２及びアンテナ切断用溝６３，６３は、ＲＦＩＤタグ７１を破壊するためのものである。つまり、磁気テープカートリッジ１を廃棄するときや、ＲＦＩＤラベル７を張り替えるべく、ケーシング２に現在貼付しているＲＦＩＤラベル７を剥がして廃棄するときに、チップ用孔６２又はアンテナ切断用溝６３，６３を利用してＲＦＩＤタグ７１を破壊する。詳しくは、チップ用孔６２に挿入可能な治具等を、ＲＦＩＤラベル７の上から、ＲＦＩＤラベル７を突き破るようにチップ用孔６２に挿入することによって、ＩＣチップ７２をアンテナ７３，７３から切り離すことができる。また、各アンテナ切断用溝６３に挿入可能な治具や爪等を、ＲＦＩＤラベル７の上から、ＲＦＩＤラベル７を突き破るようにアンテナ切断用溝６３に挿入することによって、アンテナ７３を切断することができる。アンテナ７３，７３は、リーダ・ライタとの電波の送受信を効率良く行うことができる長さに設定されている。このアンテナ７３を切断することによって、ＩＣチップ７２とリーダ・ライタとの間での交信が困難となる。特に、ＩＣチップ７２をチップ用孔６２を利用してアンテナ７３，７３から切断する場合には、ＩＣチップ７２からアンテナ７３，７３を切断できるだけでなく、ＩＣチップ７２自体を破壊することができる場合もある。かかる場合には、ＩＣチップ７２とリーダ・ライタとの間の交信が不可能となる。尚、アンテナ７３，７３がコイルアンテナを構成する場合には、アンテナ７３，７３で電磁波を受信する際に発生する電力を用いてＲＦＩＤタグ７１が動作するため、アンテナ７３，７３が切断されるだけで、ＩＣチップ７２とリーダ・ライタとの間での交信が不可能となる。
【００３９】
したがって、本実施形態によれば、ケーシング２のラベルエリア６に、ＲＦＩＤラベル７に設けられたＲＦＩＤタグ７１のＩＣチップ７２が嵌り込むチップ用孔６２や、該ＲＦＩＤタグ７１のアンテナ７３，７３と交差するアンテナ切断用溝６３，６３を形成することによって、ＲＦＩＤラベル７をケーシング２に貼付した状態のまま、治具や爪等を用いてＲＦＩＤタグ７１のＩＣチップ７２をアンテナ７３，７３から切り離したり、アンテナ７３，７３を切断することができる。その結果、ＲＦＩＤラベル７を剥がしてＲＦＩＤタグ７１を破壊したり、リーダ・ライタによってＲＦＩＤタグ７１内の情報を消去したりすることなく、簡単な作業でＲＦＩＤタグ７１を破壊することができる。
【００４０】
また、ＲＦＩＤタグ７１は多少の厚みを有している。そのため、ラベルエリア６にＲＦＩＤラベル７を貼付する構成においては、ラベルエリア６が平坦に形成されていると、ＲＦＩＤラベル７のうちＲＦＩＤタグ７１が位置する部分は表面側に突出してしまう。その場合、ＲＦＩＤラベル７がケーシング２の後側面２ｄよりも出っ張ってしまう虞がある。ＲＦＩＤラベル７がケーシング２の後側面２ｄよりも出っ張っていると、磁気テープカートリッジ１をＬＴＯライブラリ装置等で搬送する際に、ＬＴＯライブラリ装置等のアームがＲＦＩＤラベル７に引っ掛かって、磁気テープカートリッジ１をうまく搬送できない虞がある。それに対して、ラベルエリア６に、ＲＦＩＤタグ７１のＩＣチップ７２が嵌り込むチップ用孔６２を形成することによって、ＲＦＩＤタグ７１に起因するＲＦＩＤラベル７の出っ張りを抑制して、磁気テープカートリッジ１搬送時の引っ掛かりを防止することができる。ＲＦＩＤタグ７１に起因するＲＦＩＤラベル７の出っ張りを確実に抑制するためには、チップ用孔６２は、ＩＣチップ７２の厚みよりも深いことが好ましい。
【００４１】
《その他の実施形態》
本発明は、前記実施形態について、以下のような構成としてもよい。
【００４２】
例えば、前記実施形態では、ラベルエリア６にチップ用孔６２とアンテナ切断用溝６３，６３が形成されているが、これに限られるものではない。すなわち、チップ用孔６２とアンテナ切断用溝６３，６３の何れか一方だけであってもよい。また、アンテナ切断用溝６３は１つだけであってもよい。
【００４３】
また、各アンテナ切断用溝６３は、ＲＦＩＤラベル７のアンテナ７３の第２長手方向アンテナ部７３ｃと直行するように形成されているが、これに限られるものではない。例えば、アンテナ切断用溝６３は、第２長手方向アンテナ部７３ｃと交差するように形成されていればよく、直行していなくてもよい。また、アンテナ切断用溝６３は、ＲＦＩＤラベル７のアンテナ７３の第１長手方向アンテナ部７３ａ又は短手方向アンテナ部７３ｂと交差するように形成されていてもよい。
【００４４】
さらに、チップ用孔６２は、前記の形状に限られるものではない。すなわち、チップ用孔６２は、ＩＣチップ７２が嵌り込む限り、任意の形状を採用することができる。例えば、チップ用孔６２は、丸孔でもよく、長孔でもよく、溝状でもよく、スリット状であってもよい。
【００４５】
同様に、アンテナ切断用溝６３は、前記の形状に限られるものではない。すなわち、アンテナ切断用溝６３は、アンテナ７３が交差する限り、任意の形状を採用することができる。例えば、アンテナ切断用溝６３は、スリット状でもよく、長孔でもよく、方形の孔でもよく、丸孔でもよい。ただし、アンテナ７３を容易に押し切るためには、アンテナ７３と交差する細長い形状であることが好ましい。
【００４６】
また、チップ用孔６２及びアンテナ切断用溝６３はそれぞれ、有底状であるが、これに限られるものではない。つまり、チップ用孔６２は、ケーシング２を貫通する貫通孔であってもよく、アンテナ切断用溝６３は、ケーシング２を貫通する、底が無い溝であってもよい。
【００４７】
さらに、ＲＦＩＤタグ７１は、マイクロ波方式であるが、これに限られるものではない。ＲＦＩＤタグ７１としては、電磁誘導方式、静電結合方式、電磁結合方式等、他の伝送方式のものを採用するもできる。
【００４８】
また、アンテナ７３，７３は、これに限られるものではない。例えば、各アンテナ７３の形状は、前述の如く、クランク状に屈曲した形状である必要はなく、任意の形状を採用することができる。その場合、アンテナ切断用溝６３は、アンテナ７３の何れの場所で交差していてもよい。また、アンテナ７３，７３は、ダイポールアンテナに限られず、コイルアンテナでもよい。アンテナ７３，７３のタイプは、ＲＦＩＤタグ７１の伝送方式に依存する。
【００４９】
また、前記実施形態では、ラベルエリア６はケーシング２の後側面２ｄに形成されているが、これに限られるものではない。例えば、ラベルエリア６は、ケーシング２の上面２ａに形成されていてもよく、ケーシング２の上面２ａから後側面２ｄに亘って形成されていてもよい。つまり、ラベルエリア６は、ケーシング２の外表面であれば、任意の場所に形成することができる。
【００５０】
さらに、ラベルエリア６の外周縁６０の形状は、長方形状である必要はない。ただし、ＩＣチップ７２をチップ用孔６２に嵌め込むため、及び、アンテナ７３をアンテナ切断用溝６３と交差させるためには、ラベルエリア６の外周縁６０は、ＲＦＩＤラベル７の四方への位置決めを行う形状であることが好ましい。例えば、ラベルエリア６の外周縁６０は、ＲＦＩＤラベル７の外形に沿った形状であることが好ましい。すなわち、ＲＦＩＤラベル７が楕円形状であれば、ラベルエリア６の外周縁６０も楕円形状とすることが好ましい。尚、ＲＦＩＤラベル７の四方への位置決めを行うことができる限り、ラベルエリア６の外周縁６０はＲＦＩＤラベル７の外形に沿っていないくてもよい。また、前記実施形態では、互いに直行する上下方向と左右方向からＲＦＩＤラベル７を位置決めしているが、これに限られず、他の方向への位置決めを行う構成であってもよい。
【００５１】
さらにまた、前記実施形態では、磁気テープカートリッジについて説明したが、記録メディアを収容するケーシングを備えたカートリッジであれば、任意のカートリッジに前記の構成を採用することができる。例えば、磁気テープをケーシングに収容したカセットテープ又はビデオテープや、記録ディスクをケーシングに収容したフロッピディスク又はＭＯや、ＤＶＤ−Ｒディスク又はＤＶＤ−ＲＡＭディスクをケーシング内に収容したカートリッジタイプのＤＶＤ−Ｒディスク又はＤＶＤ−ＲＡＭディスク等に、前記の構成を採用してもよい。
【００５２】
尚、以上の実施形態は、本質的に好ましい例示であって、本発明、その適用物、あるいはその用途の範囲を制限することを意図するものではない。
【産業上の利用可能性】
【００５３】
以上説明したように、本発明は、記録メディアを収容するケーシングを備えたカートリッジについて有用である。
【符号の説明】
【００５４】
１      磁気テープカートリッジ（カートリッジ）
２      ケーシング
６      ラベルエリア（貼付エリア）
６２    チップ用孔（孔）
６３    アンテナ切断用溝（孔）
７      ＲＦＩＤラベル（シール部材）
７１    ＲＦＩＤタグ（非接触タグ）
７２    ＩＣチップ
７３    アンテナ
【図１】
2011034631.tif 000003
【図２】
2011034631.tif 000004
【図３】
2011034631.tif 000005
【図４】
2011034631.tif 000006
【図５】
2011034631.tif 000007